(57)【要約】【課題】操作を煩雑にすることなく、より容易に撮影時の構図を決めることを可能とする。【解決手段】撮像装置は、画像を取り込む撮影手段４０と、前記画像を表示する表示手段４１と、前記撮影手段４０によって取り込まれた前記画像に基づいて、所定の構図条件を満足する構図となる撮影範囲を求める撮影範囲算出手段４１と、前記所定の構図条件を満足する構図となる撮影範囲を、前記撮影手段４０により取り込まれた画像上に重ねて合成した構図ガイド画像を生成する構図ガイド生成手段４２と、前記構図ガイド画像を表示する表示手段４３とを備える。【選択図】図６
2013183306.tif 000002
【特許請求の範囲】
【請求項１】
画像を取り込む撮影手段と、
前記撮影手段によって取り込まれた画像に基づいて、所定の構図条件を満足する構図となる撮影範囲を求める撮影範囲算出手段と、
前記所定の構図条件を満足する構図となる撮影範囲を、前記撮影手段により取り込まれた画像上に重ねて合成した構図ガイド画像を生成する構図ガイド生成手段と、
前記構図ガイド画像を表示する表示手段と
を備えることを特徴とする撮像装置。
【請求項２】
前記撮影範囲算出手段は、
前記撮影手段により取り込まれた画像の中から、主要被写体と他の被写体とを認識する撮影シーン・主要被写体認識手段と、
前記撮影シーン・主要被写体認識手段により認識された前記主要被写体と前記他の被写体とが前記所定の構図条件を満足する構図となる撮影範囲を示す構図フレーム枠の位置座標を算出する構図フレーム枠検知手段と
を備え、
前記構図ガイド生成手段は、
前記算出された位置座標に基づいて、前記構図フレーム枠を前記撮影手段により取り込まれた画像上に重ねて合成した構図ガイド画像を生成する
ことを特徴とする請求項１に記載の撮像装置。
【請求項３】
前記構図フレーム枠検知手段は、
前記構図フレーム枠が前記撮影手段により取り込まれた画像内に収まる場合には、前記構図フレーム枠の位置座標を算出する一方、前記構図フレーム枠が前記撮影手段により取り込まれた画像内に収まらない場合には、前記構図フレーム枠が前記撮影手段により取り込まれた画像内に収めさせるべく前記撮影手段による撮影領域の移動方向を算出し、
前記構図ガイド生成手段は、
前記構図フレーム枠が前記撮影手段により取り込まれた画像内に収まる場合には、前記構図フレーム枠検知手段により算出された位置座標に基づいて、前記構図フレーム枠を前記撮影手段により取り込まれた画像上に重ねて合成した構図ガイド画像を生成し、前記構図フレーム枠が前記撮影手段により取り込まれた画像内に収まらない場合には、前記構図フレーム枠に加えて、前記構図フレーム枠検知手段により算出された移動方向を示す視野移動方向マークを、前記撮影手段により取り込まれた画像上に重ねて合成した構図ガイド画像を生成する
ことを特徴とする請求項２に記載の撮像装置。
【請求項４】
撮影操作が入力される入力手段と、
前記入力手段から撮影操作が入力されると、前記撮影手段により取り込まれた画像を、前記構図フレーム枠検知手段で得られた構図フレーム枠に従ってトリミングして記録画像を生成する構図トリミング手段と
を更に備えることを特徴とする請求項１から３のいずれかに記載の撮像装置。
【請求項５】
撮像素子によって画像を取り込む撮影ステップと、
前記撮影ステップで取り込まれた前記画像に基づいて、所定の構図条件を満足する構図となる撮影範囲を求める撮影範囲算出ステップと、
前記所定の構図条件を満足する構図となる撮影範囲を、前記撮影ステップで取り込まれた前記画像上に重ねて合成した構図ガイド画像を生成する構図ガイド生成ステップと、
前記構図ガイド画像を表示する表示ステップと
を含むことを特徴とする撮像方法。
【請求項６】
撮像装置のコンピュータに、
撮像素子によって画像を取り込む撮影機能、
前記撮影機能で取り込まれた前記画像に基づいて、所定の構図条件を満足する構図となる撮影範囲を求める撮影範囲算出機能、
前記所定の構図条件を満足する構図となる撮影範囲を、前記撮影ステップで取り込まれた前記画像上に重ねて合成した構図ガイド画像を生成する構図ガイド生成機能、
前記構図ガイド画像を表示する表示機能
を実行させることを特徴とするプログラム。
【発明の詳細な説明】
【技術分野】
【０００１】
本発明は、撮像装置、撮像方法、及びプログラムに関する。
【背景技術】
【０００２】
一般的に、良い写真を撮影するためには、焦点を合わせる、露出を合わせる、ブレを無くす、色を補正する、より所望する構図で撮影する等が必要とされているが、これらの中でより所望する構図で撮影することに関する技術だけが自動化で遅れている。
【０００３】
例えば、特許文献１には、撮影後に保存された撮影画像から主要被写体の位置を検出し、該主要被写体を配した複数のトリミング画像を生成し、操作者より複数のトリミング画像から所望する１つの画像を選択させる技術が開示されている。
【０００４】
また、特許文献２には、ライブ画像をそのままの画角で撮影し、顔検出した位置でのみ構図を判定する技術が開示されている。
【０００５】
また、特許文献３には、スルー画像から抽出した被写体と、背景と被写体との配置が予め設定されている構図アシスト用のフレーム内の被写体との位置がずれている場合にカメラの移動方向を指示し、双方の位置が合致すると、合致したことを通知するとともに、合致状態が所定時間経過すると撮像する技術が開示されている。
【０００６】
また、特許文献４には、ライブビュー表示でフレーム枠の大きさと位置を設定し、該フレーム枠の大きさと位置とに対応する撮影画像の一部を選択画像として保持し、該選択画像とスルー画像とが一致するように、ズーミングの調節や撮影方向を移動させることで、所望する構図、画角での撮影を行う技術が開示されている。
【先行技術文献】
【特許文献】
【０００７】
【特許文献１】特開２００７−２９５２０３号公報
【特許文献２】特開２０１０−１７８１５８号公報
【特許文献３】特開２００６−０７４３６８号公報
【特許文献４】特開２０１０−０９３４１３号公報
【発明の概要】
【発明が解決しようとする課題】
【０００８】
しかしながら、特許文献１では、操作が複雑になってしまうという問題があるとともに、撮影時に撮影範囲が決まっているため、撮影画像の周囲も含めたほうが、構図が良くなるような場合でも、自由に構図を決めることができないという問題があった。
【０００９】
また、特許文献２では、ライブ画像をそのままの画角で撮影画像として記録するため、所望する構図になるように試行錯誤して撮像装置を構える必要があるという問題があった。さらに、顔検出した位置でのみ構図を判定するため、顔の無いシーンの撮影では、構図が決まらないという問題があった。
【００１０】
また、特許文献３では、構図アシスト用のフレーム内に設定された被写体位置に撮影している被写体を合わせる必要があり、自由に構図を決めることができないという問題があった。
【００１１】
また、特許文献４では、構図や画角はユーザが設定しなければならず、操作が複雑になってしまうという問題があるとともに、所望する構図になるように試行錯誤して操作しなければならないという問題があった。
【００１２】
そこで本発明は、操作を煩雑にすることなく、より容易に撮影時の構図を決めることができる撮像装置、撮像方法、及びプログラムを提供することを目的とする。
【課題を解決するための手段】
【００１３】
本発明の撮像装置は、画像を取り込む撮影手段と、前記撮影手段によって取り込まれた画像に基づいて、所定の構図条件を満足する構図となる撮影範囲を求める撮影範囲算出手段と、前記所定の構図条件を満足する構図となる撮影範囲を、前記撮影手段により取り込まれた画像上に重ねて合成した構図ガイド画像を生成する構図ガイド生成手段と、前記構図ガイド画像を表示する表示手段とを備えることを特徴とする撮像装置である。
【００１４】
本発明の撮像方法は、撮像素子によって画像を取り込む撮影ステップと、前記撮影ステップで取り込まれた前記画像に基づいて、所定の構図条件を満足する構図となる撮影範囲を求める撮影範囲算出ステップと、前記所定の構図条件を満足する構図となる撮影範囲を、前記撮影ステップで取り込まれた前記画像上に重ねて合成した構図ガイド画像を生成する構図ガイド生成ステップと、前記構図ガイド画像を表示する表示ステップとを含むことを特徴とする撮像方法である。
【００１５】
本発明のプログラムは、撮像装置のコンピュータに、撮像素子によって画像を取り込む撮影機能、前記撮影機能で取り込まれた前記画像に基づいて、所定の構図条件を満足する構図となる撮影範囲を求める撮影範囲算出機能、前記所定の構図条件を満足する構図となる撮影範囲を、前記撮影ステップで取り込まれた前記画像上に重ねて合成した構図ガイド画像を生成する構図ガイド生成機能、前記構図ガイド画像を表示する表示機能を実行させることを特徴とするプログラムである。
【発明の効果】
【００１６】
この発明によれば、操作を煩雑にすることなく、より容易に撮影時の構図を決めることができる。
【図面の簡単な説明】
【００１７】
【図１】本発明の実施形態による撮像装置の構成を示すブロック図である。
【図２】本実施形態において、撮影前動作時の演算部１１で行うデータ処理を説明するためのフローチャートである。
【図３】本実施形態において、撮影動作時の演算部１１で行うデータ処理を説明するためのフローチャートである。
【図４】本実施形態において、構図ガイド画像２２（構図フレーム枠）の一例を示す模式図である。
【図５】本実施形態において、構図ガイド画像２２（視野移動ガイドマーク）の一例を示す模式図である。
【図６】付記１の構成を示すブロック図である。
【発明を実施するための形態】
【００１８】
以下、本発明の実施の形態を、図面を参照して説明する。
【００１９】
図１は、本発明の実施形態による撮像装置１の構成を示すブロック図である。図において、撮像装置１は、光学部２、制御部３、表示部４、入力部５、及び記憶部６から構成されている。光学部２は、フォーカスレンズやズームレンズ等からなるレンズ７と、ＣＭＯＳセンサやＣＣＤ等の撮像素子８とから構成されている。撮像素子８は、レンズ７を通して結像した光を電気信号に変換して画像データとして出力する。
【００２０】
制御部３は、光学部２の制御と画像処理を行う画像処理部１０、制御部３内の各部を統括的に制御するＣＰＵやＤＳＰ等の演算部１１、プログラムやデータを保存するＤＲＡＭ等の主記憶部１２、表示部４の表示動作を制御する表示制御部１３、入力部５を制御する入力制御部１４、記憶部６を制御する記憶制御部１５からなる。
【００２１】
画像処理部１０は、制御部３内の各部と光学部２とに接続され、光学部２を制御して露出を制御するとともに、撮像素子８から送られてくる画像データ（ライブ画像ｏｒ撮影画像：後述）を受信して主記憶部１２に転送する。
【００２２】
演算部１１は、制御部３内の各部に接続され、主記憶部１２に記憶されるプログラムにより動作し、制御部３内の各部の制御や主記憶部１２のデータ処理等を行う。なお、演算部１１がプログラムを実行することにより実現する各種機能、手段の詳細については後述する。主記憶部１２は、ライブ画像２０や、撮影画像２１、構図ガイド画像２２、記録画像２３などを記憶する。主記憶部１２は、制御部３内の各部との間で、ライブ画像２０や、撮影画像２１、構図ガイド画像２２、記録画像２３などの入出力を制御するデータ処理部１６を備えている。
【００２３】
ここで、ライブ画像２０とは、撮影モードにおいて、例えば数十ｆｐｓ程度で撮像素子８から取り込まれる画像（縮小画像）のことである。該ライブ画像２０は、現在、どのような画角、構図で撮影されているかをユーザに提示すべく、リアルタイムで表示部４に表示される。また、ライブ画像２０が表示された表示部４の画面をライブビュー画面という。
【００２４】
また、撮影画像２１とは、シャッターが全押しされたタイミングで撮像素子８から取り込まれる画像である。本実施形態では、所定の構図条件を満足する構図になるように撮影画像２１をトリミングし、記録画像２３として保存するようになっている。構図ガイド画像２２とは、上記所定の構図条件を満足する構図を提示すべく、上記ライブビュー画面上に表示される構図フレーム枠、または／及び移動方向を示す視野移動方向マークである。記録画像２３とは、上述したように、撮影画像をフレーム枠に基づいてトリミングした後の画像である。なお、上記所定の構図条件については後述する。
【００２５】
表示制御部１３は、制御部３内の各部と表示部４とに接続され、主記憶部１２の所定のアドレス領域に記憶されるライブ画像２０や、撮影画像２１、構図ガイド画像２２、記録画像２３などを読み出して表示部４に供給し、表示部４の動作を制御する。入力制御部１４は、制御部３内の各部と入力部５とに接続され、入力部５から送られてくる操作信号を受信して演算部１１に操作内容を通知する。記憶制御部１５は、制御部３内の各部と記憶部６に接続され、記憶部６へのデータ入出力を制御するとともに、主記憶部１２と記憶部６との間でファイル化されたデータを転送する。
【００２６】
表示部４は、ＬＣＤや有機ＥＬ等からなり、表示制御部１３から供給される画像データを表示する。入力部５は、ボタンやタッチスクリーン等からなり、撮影者の操作を検出してその操作内容を電気信号に変換して操作信号として入力制御部１４に供給する。記憶部６は、画像ファイルを記録する記録媒体であり、フラッシュメモリ等の不揮発性メモリからなる。なお、ＳＤカード（登録商標）のように、取り外し可能な記録媒体などであってもよい。
【００２７】
上述したように、演算部１１は、プログラムを実行することにより各種手段（各種機能）を実現する。本実施形態において、演算部１１は、撮影シーン・主要被写体認識手段、構図フレーム枠検知手段、構図ガイド生成手段、画像補正手段、構図トリミング手段、及びファイル化手段を実現する。
【００２８】
撮影シーン・主要被写体認識手段は、主記憶部１２から読み出されたライブ画像２０の中から、主要被写体と他の被写体（人・空・山・物体等の主要被写体以外）とを認識し、ライブ画像２０内における主要被写体と他の被写体との位置関係、それぞれの占有面積、占有面積比を検出する。
【００２９】
なお、主要被写体と他の被写体は、例えば、顔検出などの画像処理や、特徴点検出やパターン認識等により認識される。主要被写体とは、ユーザがシャッター半押した際に所定のフォーカシングエリア内でオートフォーカシング（自動合焦）した対象である。あるいは、上記被写体を認識する際に用いた、顔検出された対象を主要被写体として認識してもよい。一方、他の被写体とは、主要被写体以外の対象である。
【００３０】
構図フレーム枠検知手段は、撮影シーン・主要被写体認識手段により検出された、ライブ画像２０内における主要被写体と他の被写体との位置関係、それぞれの占有面積、占有面積比に基づいて、主要被写体と他の被写体とが、所定の構図条件を満足するような構図となる構図フレーム枠を検知する。
【００３１】
ここで、所定の構図条件とは、主要被写体が他の被写体の中央付近、あるいは画角内の右端、または左端に位置すること（位置関係）、主要被写体または／及び他の被写体の画角内における占有面積が所定の範囲内であること（占有面積：小さすぎず、大きすぎず）、主要被写体と他の被写体との占有面積比が所定の範囲内であること（占有面積比）などからなり、そのうちの１つ、もしくは２つ以上を組み合わせて用いる。
【００３２】
また、所定の構図条件を満足するとは、上記構図フレーム枠をライブ画像上で移動、拡大、縮小することで、主要被写体と他の被写体との位置関係、それぞれの占有面積、占有面積比のいずれか１つ、あるいは２つ以上、あるいは全てが、所定の閾値以下になった場合（あるいは許容範囲に収まった場合）のことをいう。
【００３３】
構図フレーム枠検知手段は、主要被写体と他の被写体とが、所定の構図条件を満足するような構図となる構図フレーム枠の検知に成功した場合（所定の構図条件を満足した場合）には、その構図フレーム枠の位置座標を算出する。
【００３４】
具体的には、予め所定サイズの構図フレーム枠（例えば、撮影画角の５０％程度の大きさの枠：デフォルト）を用意し、該構図フレーム枠を、主要被写体が中央（設定に応じて、右端、左端でも可）に位置するようにライブ画像２０上に位置決めする。そして、構図フレーム枠内における、主要被写体と他の被写体との位置関係、それぞれの占有面積、占有面積比が所定の構図条件を満足するか判別し、所定の構図条件を満足しなければ、構図フレーム枠を上下左右へ移動させたり、拡大／縮小させたりしながら、所定の構図条件を満足する大きさ、位置を探索する。そして、所定の構図条件を満足する、位置、大きさの構図フレーム枠が検知された場合に、構図フレーム枠の検知に成功したと判定する。このときの構図フレーム枠の４隅の座標（あるいは対角する２隅の座標）を、構図フレーム枠の位置座標として算出する。
【００３５】
一方、構図フレーム枠の検知に失敗した場合（所定の構図条件を満足しなかった場合）には、主要被写体と他の被写体との位置関係、占有面積、占有面積比などから、所定の構図条件を満足する構図になるように、撮影領域（撮像素子の視野）を変更させるための移動方向を算出する。以下、移動方向の算出方法について具体的に説明する。
【００３６】
ライブ画像２０内で構図フレーム枠が検知されている間は、撮影領域（撮像素子の視野）を変更させる必要はない。しかし、ライブ画像２０の周囲（撮像素子８の周囲に設けられているマージン領域）も探索範囲に含めることにより、探索範囲が広くなるので、所定の構図条件を満足する構図を、より容易に検知することができる可能性が高くなる。
そこで、ライブ画像２０の周囲も探索範囲に含めた場合には、所定の構図条件を満足する構図を示す構図フレーム枠の一部がライブ画像２０の外側に出てしまうこともある。あるいは、構図フレーム枠が小さくなりすぎたり、大きくなりすぎたりする場合もある。
【００３７】
このような場合、ユーザに撮像装置１を、水平方向に振ったり（パン）、垂直方向に振ったり（チルト）、ズームイン（テレ）／ズームアウト（ワイド）（実際に主要被写体に近づく、遠ざかるという移動も含む）させることにより、構図フレーム枠がライブ画像２０内に収まるように、撮影領域（撮像素子の視野）を変更させる必要がある。つまり、本実施形態では、所定の構図条件を満足するような構図となるように、撮影装置１を水平方向に振ったり（パン）、垂直方向に振ったり（チルト）、ズームイン（テレ）／ズームアウト（ワイド）（実際に主要被写体に近づく、遠ざかるという移動も含む）させるための情報として、移動方向を算出する。上記移動方向には、上述したように、撮像装置１をパン／チルトさせる移動方向に加えて、ズームイン／ズームアウトさせる操作指示（ズームイン、ズームアウトを前後方向への移動と捉え、移動方向に含めている）も含まれる。
【００３８】
移動方向の算出方法としては、所定の構図条件を満足する、位置、大きさの構図フレーム枠が検知された場合に、構図フレーム枠がライブ画像２０の外へ出ている場合や、構図フレーム枠が小さくなりすぎたり、大きくなりすぎたりする場合に、構図フレーム枠の位置（中心座標）を取得し、ライブ画像の中心座標から、構図フレーム枠の中心座標に向かう方向を移動方向とする。このとき、ライブ画像の中心座標と、構図フレーム枠の中心座標との距離を算出し、該距離に応じた長さ（大きさ）を提示すれば、移動量も知らせることが可能となる。
【００３９】
構図ガイド生成手段は、構図フレーム枠の検知に成功した場合には算出された位置座標にフレーム枠を、失敗した場合には移動させるべき視野の方向を示す視野移動方向マークを、構図ガイドマーク画像として生成し、この構図ガイドマーク画像をライブ画像２０上に重ね、はめ込み合成し（オーバレイ）、１つの構図ガイド画像２２を生成する。該構図ガイド画像２２は、ライブビュー画面として表示部４に表示される。
【００４０】
画像補正手段は、撮影画像２１に対して色温度補正や記憶色補正などの補正処理を行う。構図トリミング手段は、補正処理が施された撮影画像２１を上記構図フレーム枠検知手段で得られた構図フレーム枠に従ってトリミングして記録画像２３を生成する。
【００４１】
ファイル化手段は、最終的に記憶部６に記録された記録画像２３を読み出して再生できるように、トリミングされた記録画像２３に対して、圧縮処理やデータ形式変換処理などを行う。最終的な画像ファイルは、記憶部６に転送されて記録される。
【００４２】
次に、上述した実施形態の動作について説明する。
図２、及び図３は、本実施形態による携帯電話の動作を説明するためのフローチャートである。本発明による携帯電話の動作は、図２に示す撮影前動作と図３に示す撮影動作との２つに分かれており、演算部１１が各部を制御して動作を切り替える。
【００４３】
図２は、本実施形態において、撮影前動作時の演算部１１で行うデータ処理を説明するためのフローチャートである。撮影前動作では、ライブ画像２０を得るために、制御部３において、画像処理部１０により光学部２の制御を行い、撮像素子８から逐次画像データを取り込み、画像処理部１０で所定の画像処理を行い、ライブ画像２０として主記憶部１２に転送する。このとき、画像処理部１０は、画像全体の露出が最適になるように光学部２を制御している。
【００４４】
撮影シーン・主要被写体認識手段は、主記憶部１２に転送されたライブ画像２０を読み出し（ステップＳ１０）、その中から主要被写体と他の被写体とを認識して、ライブ画像２０内におけるそれらの位置関係、それぞれの占有面積、占有面積比を検出する（ステップＳ１２）。構図フレーム枠検知手段は、主要被写体と他の被写体との位置関係、それぞれの占有面積、占有面積比に基づいて、主要被写体と他の被写体とが、所定の構図条件を満足するような構図となる構図フレーム枠の検知を試み（ステップＳ１４）、検知に成功したか否かを判定する（ステップＳ１６）。
【００４５】
そして、構図フレーム枠検知手段は、構図フレーム枠の検知に成功した場合（所定の構図条件を満足した場合）には（ステップＳ１６のＹＥＳ）、その構図フレーム枠の位置座標を算出する（ステップＳ１８）。構図ガイド生成手段は、上記構図フレーム枠を、算出された位置座標に構図ガイドマーク画像として生成する（ステップＳ２０）。
【００４６】
一方、構図フレーム枠検知手段は、構図フレーム枠の検知に失敗した場合（所定の構図条件を満足しなかった場合）には（ステップＳ１６のＮＯ）、主要被写体と他の被写体との位置関係、占有面積、占有面積比などから、所定の構図条件を満足する構図になるように、撮影領域（撮像素子の視野）を変更させるための移動方向を算出する（ステップＳ２２）。次に、構図ガイド生成手段は、移動させるべき視野の方向を示す視野移動方向マークを構図ガイドマーク画像として生成する（ステップＳ２４）。
【００４７】
そして、構図フレーム枠の検知に成功した場合も失敗した場合も、構図ガイド生成手段は、上記構図ガイドマーク画像をライブ画像２０上に重ね、はめ込み合成し（オーバレイ）、１つの構図ガイド画像２２を生成する（ステップＳ２６）。
【００４８】
演算部１１は、構図ガイド画像２２を、表示部４の条件に合わせてデータ変換し（ステップＳ２８）、主記憶部１２の所定の領域（ＶＲＡＭ領域）に、構図ガイド画像データとして書き込む（ステップＳ３０）。表示制御部１３は、主記憶部１２の所定の領域（ＶＲＡＭ領域）に記憶された構図ガイド画像データを読み出して表示部４に表示する（ステップＳ２２）。
【００４９】
図４は、本実施形態において、構図ガイド画像２２（構図フレーム枠）の一例を示す模式図である。図４に示すように、表示部４に表示されるライブビュー画面には、主要被写体と他の被写体とが表示されている。撮影シーン・主要被写体認識手段は、ライブ画像２０の中から主要被写体と他の被写体を認識して、ライブ画像２０内におけるそれらの位置関係、それぞれの占有面積、占有面積比を検出する。
【００５０】
図示するように、ライブビュー画面には、主要被写体と認識された領域には、主要被写体マーク３０が表示され、他の被写体として認識された領域（の境界）には、境界マーク３１が表示される。また、所定の構図条件を満足するような構図を示す構図ガイドマーク画像の１つである構図フレーム枠３３ａが表示される。
【００５１】
また、図５は、本実施形態において、構図ガイド画像２２（視野移動方向マーク）の一例を示す模式図である。図５に示すように、構図フレーム枠検知手段が構図フレーム枠の検知に失敗した場合、つまり、ライブ画像２０内に構図フレーム枠が収まらないような場合には、構図ガイドマーク画像の１つである、移動するべき視野の方向を示す視野移動方向マーク３３ｂが表示される。図示の例では、構図フレーム枠がライブ画像２０に対して右側にはみ出しているので、ライブ画像の中心座標から、構図フレーム枠の中心座標に向かう方向、すなわち右方向を向いた視野移動方向マーク３３ｂ（矢印）が表示されている。
【００５２】
なお、図示の例では、明示されていないが、上記主要被写体マーク３０、境界マーク３１、構図フレーム枠３３ａ、視野移動方向マーク３３ｂは、色や線種などを変えることで、それぞれ判別可能に表示される。
【００５３】
また、構図フレーム枠３３ａは、取り込んだライブ画像２０の範囲に限る必要はなく、もしライブ画像２０の周囲（撮像素子８の周囲に設けられているマージン領域）も構図フレーム枠３３ａ内に収めた方が所定の構図条件を満足する構図になるならば、外側に広げる、または移動することもある。このような場合、その視野外へ移動方向が判るような視野移動方向マーク３３ｂをライブ画像２０上に重ね、はめ込み合成（オーバレイ）してライブビュー画面に表示する（ズーム機能を考慮すると、上下左右の４方向全てで外側を指示することもある）。
【００５４】
上述した撮影前動作において、入力部５がシャッターボタンの場合には、撮影者がシャッターボタンを押下したときを契機に、あるいは、入力部５がタッチスクリーンの場合には、撮影者がタッチスクリーンに表示されたボタンなどに触れたりしたときを契機に、入力部５は上記撮影操作を検知し、入力制御部１４を介して演算部１１に通知する。演算部１１は、撮影操作検知の通知を受けて制御部３内の各部を制御して撮影動作に切り替える。
【００５５】
図３は、本実施形態において、撮影動作時の演算部１１で行うデータ処理を説明するためのフローチャートである。ユーザによりシャッターボタンが全押しされると、演算部１１の動作は、図３に示す撮影動作処理へ移行する。撮影動作では、画像処理部１０は、光学部２を制御し、撮像素子８から撮影画像２１を取り込み、主記憶部１２に転送して保存する（ステップＳ４０）。このとき、画像処理部１０は、撮影前動作の構図フレーム枠検知手段で得られたフレーム枠の内側領域の露出が最適になるように光学部２を制御する。
【００５６】
演算部１１は、主記憶部１２に転送された撮影画像２１を読み出し（ステップＳ４２）、画像補正手段は、撮影画像２１に対して色温度補正や記憶色補正などの補正処理を行う（ステップＳ４４）。構図トリミング手段は、補正された撮影画像２１を、撮影前動作の構図フレーム枠検知手段で得られた構図フレーム枠に従ってトリミングして記録画像を生成する（ステップＳ４６）。
【００５７】
ファイル化手段は、上記記録画像に対して圧縮処理やデータ形式変換処理など行って最終的な画像ファイルを生成して主記憶部１６に書き込む（ステップＳ４８）。記憶制御部１５は、主記憶部１２に記憶された画像ファイルを読み出し、記憶部６に転送して記録する（ステップＳ５０）。
【００５８】
上述した実施形態によれば、撮影前のライブ画像２０から、画像認識等によって所定の構図条件を満足するような構図を探し出し、該所定の構図条件を満足するような構図を示す構図フレーム枠、または／及び、所定の構図条件を満足するような構図とするための移動方向を示す視野移動方向マークからなる構図ガイドマーク画像を、ライブ画像２０上に重ね、はめ込み合成（オーバレイ）して構図ガイド画像２２を生成してライブビュー画面に表示するようにしたので、表示部４に表示される構図ガイド画像２２を視認しながら、撮像装置１のアングルを変えたり、移動したり、ズームイン／ズームアウト操作したりすることで、より容易に構図を決めることができる。
【００５９】
なお、本実施形態は、撮像装置として携帯電話に適用した例であるが、本発明はこれに限定されるものではなく、デジタルカメラ、スマートフォン、タブレット、携帯ゲーム機、携帯メディアプレイヤ、携帯型の撮像が可能な装置等にも幅広く適用できる。
【００６０】
以下、本発明の特徴を付記する。
上記の実施形態の一部又は全部は、以下の付記のようにも記載されうるが、以下には限られない。
（付記１）
図６は、付記１の構成図である。なお、図６と図１との対応について説明する。図６に示す撮影手段４０は、図１の光学部２に相当し、撮影範囲算出手段４２は、図１の制御部３における演算部１１による撮影シーン・主要被写体認識手段と構図フレーム枠検知手段とに相当する。また、図６の構図ガイド生成手段４２は、図１の制御部３における演算部１１による構図ガイド生成手段に相当する。そして、図６の表示手段４３は、図１の表示部４に相当する。
【００６１】
この図に示すように、付記１記載の発明は、
画像を取り込む撮影手段４０と、
前記画像を表示する表示手段４１と、
前記撮影手段４０によって取り込まれた前記画像に基づいて、所定の構図条件を満足する構図となる撮影範囲を求める撮影範囲算出手段４１と、
前記所定の構図条件を満足する構図となる撮影範囲を、前記撮影手段４０により取り込まれた画像上に重ねて合成した構図ガイド画像を生成する構図ガイド生成手段４２と、
前記構図ガイド画像を表示する表示手段４３と
を備えることを特徴とする撮像装置である。
【００６２】
（付記２）
前記撮影範囲算出手段は、前記撮影手段により取り込まれた画像の中から、主要被写体と他の被写体とを認識する撮影シーン・主要被写体認識手段と、前記撮影シーン・主要被写体認識手段により認識された前記主要被写体と前記他の被写体とが前記所定の構図条件を満足する構図となる撮影範囲を示す構図フレーム枠の位置座標を算出する構図フレーム枠検知手段とを備え、前記構図ガイド生成手段は、前記算出された位置座標に基づいて、前記構図フレーム枠を前記撮影手段により取り込まれた画像上に重ねて合成した構図ガイド画像を生成することを特徴とする付記１に記載の撮像装置である。
【００６３】
（付記３）
前記構図フレーム枠検知手段は、前記構図フレーム枠が前記撮影手段により取り込まれた画像内に収まる場合には、前記構図フレーム枠の位置座標を算出する一方、前記構図フレーム枠が前記撮影手段により取り込まれた画像内に収まらない場合には、前記構図フレーム枠が前記撮影手段により取り込まれた画像内に収めさせるべく前記撮影手段による撮影領域の移動方向を算出し、前記構図ガイド生成手段は、前記構図フレーム枠が前記撮影手段により取り込まれた画像内に収まる場合には、前記構図フレーム枠検知手段により算出された位置座標に基づいて、前記構図フレーム枠を前記撮影手段により取り込まれた画像上に重ねて合成した構図ガイド画像を生成し、前記構図フレーム枠が前記撮影手段により取り込まれた画像内に収まらない場合には、前記構図フレーム枠に加えて、前記構図フレーム枠検知手段により算出された移動方向を示す視野移動方向マークを、前記撮影手段により取り込まれた画像上に重ねて合成した構図ガイド画像を生成することを特徴とする付記２に記載の撮像装置である。
【００６４】
（付記４）
撮影操作が入力される入力手段と、前記入力手段から撮影操作が入力されると、前記撮影手段により取り込まれた画像を、前記構図フレーム枠検知手段で得られた構図フレーム枠に従ってトリミングして記録画像を生成する構図トリミング手段とを更に備えることを特徴とする付記１から３のいずれかに記載の撮像装置である。
【００６５】
（付記５）
撮像素子によって画像を取り込む撮影ステップと、前記撮影ステップで取り込まれた前記画像に基づいて、所定の構図条件を満足する構図となる撮影範囲を求める撮影範囲算出ステップと、前記所定の構図条件を満足する構図となる撮影範囲を、前記撮影ステップで取り込まれた前記画像上に重ねて合成した構図ガイド画像を生成する構図ガイド生成ステップと、前記構図ガイド画像を表示する表示ステップとを含むことを特徴とする撮像方法である。
【００６６】
（付記６）
撮像装置のコンピュータに、撮像素子によって画像を取り込む撮影機能、前記撮影機能で取り込まれた前記画像に基づいて、所定の構図条件を満足する構図となる撮影範囲を求める撮影範囲算出機能、前記所定の構図条件を満足する構図となる撮影範囲を、前記撮影ステップで取り込まれた前記画像上に重ねて合成した構図ガイド画像を生成する構図ガイド生成機能、前記構図ガイド画像を表示する表示機能を実行させることを特徴とするプログラムである。
【符号の説明】
【００６７】
１  撮像装置
２  光学部
３  制御部
４  表示部
５  入力部
６  記憶部
７  レンズ
８  撮像素子
１１  演算部
１２  主記憶部
１３  表示制御部
１４  入力制御部
１５  記憶制御部
１６  データ処理部
２０  ライブ画像
２１  撮影用画像
２２  構図ガイド画像
２３  撮影画像ファイル
３０  主要被写体マーク
３１  境界マーク
３３ａ  構図フレーム枠
３３ｂ  視野移動方向マーク
【図１】
2013183306.tif 000003
【図２】
2013183306.tif 000004
【図３】
2013183306.tif 000005
【図４】
2013183306.tif 000006
【図５】
2013183306.tif 000007
【図６】
2013183306.tif 000008